(57)【要約】【課題】  マグネトロンを駆動するのに理想的な電源を作り、力率の向上と電源効率の向上を図る。【解決手段】  マグネトロン３１を駆動するインバータ回路４８と、入力電流を検出する入力電流検出回路５２と、スイッチング素子４４を制御する制御回路５０とを備えたマグネトロン駆動用電源３０において、交流電源４１のゼロボルトを検出する電源同期タイミング検出回路５１と、スイッチング素子４４のＯＮ時間とＯＦＦ時間を決定する駆動データとを備え、マグネトロン３１を駆動した直後は前記電源同期タイミング検出回路５１の検出した交流電源のゼロボルトを基準に前記駆動データを使用し、マグネトロン３１が温まった後は、交流電源４１の電圧が低い部分では、前記駆動データのＯＮ時間比率の長い状態で制御し、交流電源４１の頂点部の手前部分では、前記駆動データのＯＮ時間比率を短くするように、制御回路５０によりインバータ回路４８を制御する。【選択図】図４
2010123356.tif 000002
【特許請求の範囲】
【請求項１】
高周波出力を発生するマグネトロンと、
交流電源に接続され電源を直流化する整流回路と、
該整流回路に接続され前記マグネトロンを駆動するインバータ回路と、
該インバータ回路の入力電流を検出する入力電流検出回路と、
前記インバータ回路のスイッチング素子を制御する制御回路とを備えたマグネトロン駆動用電源において、
前記交流電源のゼロボルトを検出する電源同期タイミング検出回路を備え、
前記制御回路は前記スイッチング素子のＯＮ時間とＯＦＦ時間を決定する駆動データを記憶し、
前記入力電流検出回路で検出した入力電流と前記電源同期タイミング検出回路で検出した交流電源のゼロボルトを基準に前記マグネトロンを駆動した直後は前記インバータ回路のスイッチング素子をＯＮ時間比率の長い状態で制御し、
前記マグネトロンが温まった後は、前記電源同期タイミング検出回路の検出した交流電源のゼロボルトから正弦波の裾野にあたる電圧が低い部分では、前記インバータ回路のスイッチング素子をＯＮ時間比率の長い状態で制御し、
交流電源の頂点部分では、前記入力電流検出回路に必要とする高周波出力を発生する印加電圧以上の高電圧がマグネトロンに加わらないように前記インバータ回路のスイッチング素子をＯＮ時間比率が短くなるように、前記制御回路により制御することを特徴とする高周波加熱装置のマグネトロン駆動用電源。
【請求項２】
請求項１記載のマグネトロン駆動用電源において、前記制御回路は、記憶手段を備え、前記マグネトロンが最大出力時において、電源の力率と電源の効率を最大限に良くした前記駆動データを前記記憶手段で予め記憶することを特徴とする高周波加熱装置のマグネトロン駆動用電源。
【発明の詳細な説明】
【技術分野】
【０００１】
本発明は、高周波加熱装置に使用されるマグネトロン駆動用電源に関するものである。
【背景技術】
【０００２】
従来のマグネトロン駆動用の制御回路は、図６に示すように、半導体スイッチ素子３のオンオフによって高周波電圧を発生するインバータ回路４と、インバータ回路４の入力電流を検出する入力電流検出部１２と、出力指令部１３の信号によって目標波形を形成する目標波形発生部１４と、入力電流検出部１２と目標波形発生部１４との信号を入力し目標波形と入力電流波形の波形誤差を演算する誤差演算部１５と、入力電流波形が目標波形となるように調整するパルス幅変調部１６と、パルス幅変調部１６の出力信号によって半導体スイッチ素子３を駆動する駆動部１７とを備えたものである。
【０００３】
前記目標波形発生部１４は、商用電源６１の電圧を全波整流して目標波形を得る構成とし、出力指令部１３の信号によって振幅を可変する構成としたものである。
【０００４】
これにより、目標波形をマグネトロン駆動用電源の入力電圧源と同期させることができ、入力電流波形が略正弦波状となるような駆動パルスで半導体スイッチ素子３を駆動するため、マグネトロン７の状態によらず入力電流波形の歪みを抑制し、また、いかなる電流レベルであってもそれぞれの入力電流レベルに応じた駆動パルスで半導体スイッチ素子３を駆動するため、入力電流レベルの変化によらず、インバータ回路を動作させることができる。
【０００５】
また、パルス幅変調部１６は、誤差演算部１５によって演算された誤差の値が正の場合はパルス幅を減じ、逆に誤差の値が負の場合はパルス幅を増加するように駆動部１７に与えるパルス列をパルス幅変調し、この結果、目標波形に対し入力電流波形が低い場合はより入力電流を増加させ、逆に入力電流が目標波形に対して大きい場合は入力電流を減ずることができ、入力電流波形を目標波形に整形する制御ができるものである。
【０００６】
【特許文献１】特開２００６−６６１９４号公報
【発明の開示】
【発明が解決しようとする課題】
【０００７】
上記した特許文献１に示すものは、マグネトロンが発振している時の入力電流を測定し、商用電源の電圧を全波整流して構成した目標波形に照らし合わせて、発生した誤差を補正するような動作をするものである。
【０００８】
そのため、目標波形である商用電源に変動が生じた場合、その補正結果にも商用電源の変動が影響し、電源効率の低下が予測される。
【０００９】
また、商用電源で構成した目標波形を、出力指令部の信号によって高周波出力を得ようとしているので、目標波形のゼロボルト付近、つまり商用電源のゼロボルト付近では、入力電流を増加させる働きは小さくなることが予想され、力率の低下が予測される。
【課題を解決するための手段】
【００１０】
本発明は上記の問題を解決するためになされたものであり、請求項１では、高周波出力を発生するマグネトロンと、交流電源に接続され電源を直流化する整流回路と、該整流回路に接続され前記マグネトロンを駆動するインバータ回路と、該インバータ回路の入力電流を検出する入力電流検出回路と、前記インバータ回路のスイッチング素子を制御する制御回路とを備えたマグネトロン駆動用電源において、
前記交流電源のゼロボルトを検出する電源同期タイミング検出回路を備え、前記制御回路は前記スイッチング素子のＯＮ時間とＯＦＦ時間を決定する駆動データを記憶し、前記入力電流検出回路で検出した入力電流と前記電源同期タイミング検出回路で検出した交流電源のゼロボルトを基準に前記マグネトロンを駆動した直後は前記インバータ回路のスイッチング素子をＯＮ時間比率の長い状態で制御し、
前記マグネトロンが温まった後は、前記電源同期タイミング検出回路の検出した交流電源のゼロボルトから正弦波の裾野にあたる電圧が低い部分では、前記インバータ回路のスイッチング素子をＯＮ時間比率の長い状態で制御し、交流電源の頂点部分では、前記入力電流検出回路に必要とする高周波出力を発生する印加電圧以上の高電圧がマグネトロンに加わらないように前記インバータ回路のスイッチング素子をＯＮ時間比率が短くなるように、前記制御回路により制御するものである。
【００１１】
請求項２では、前記制御回路は、記憶手段を備え、前記マグネトロンが最大出力時において、電源の力率と電源の効率を最大限に良くした前記駆動データを前記記憶手段で予め記憶するものである。
【発明の効果】
【００１２】
本発明によれば、マグネトロンを駆動するのに理想的な電源を作ることができ、力率の向上と電源効率の向上を図ることができる。
【発明を実施するための最良の形態】
【００１３】
以下、本発明の実施例を添付図面に従って説明する。
【００１４】
図１は本実施例のマグネトロン駆動用の制御回路を搭載した高周波加熱装置の外観斜視図、図２は図１のＡ−Ａ部の断面図、図３は高周波加熱装置の制御を説明するブロック図を示す。
【００１５】
図において、高周波加熱装置の本体１は、加熱室１７に加熱する食品を入れ、高周波エネルギーやヒータの熱を使用して食品を加熱調理する。
【００１６】
ドア２は、加熱室１７の内部に食品を出し入れするために開閉するもので、ドア２を閉めることで加熱室１７を密閉状態にし、食品を加熱する時に使用する高周波の漏洩を防止し、ヒータの熱を封じ込め、効率良く加熱することを可能とする。
【００１７】
取っ手７は、ドア２に取り付けられ、ドア２の開閉を容易にするもので、手で握りやすい形状になっている。
【００１８】
ガラス窓４は、調理中の食品の状態が確認できるようにドア２に取り付けられ、ヒータ等の発熱による高温に耐えるガラスを使用している。
【００１９】
入力手段５は、ドア２の前面下側の操作パネル４に設けた表示部５ａと操作部５ｂからなり、操作部５ｂは、高周波加熱やヒータ加熱等の加熱手段や加熱の強さや加熱する時間等の調理条件を入力するためのもので、表示部５ａは、操作部５ｂから入力された内容や調理の進行状態を表示するものである。
【００２０】
排気口８は、部品を冷却した後の冷却風や食品を加熱した時に発生した蒸気を排出するところである。
【００２１】
機械室１８は、加熱室１７の下部に設けられた空間で、該空間内には、食品を加熱するためのマグネトロン３１，マグネトロン３１に接続された導波管２１，マグネトロン３１の電源を供給するマグネトロン駆動用電源３０が搭載されたインバータ基板、その他後述する各種部品、これらの各種部品を冷却する冷却手段６２等が取り付けられている。
【００２２】
加熱室１７の底面の略中央部は凹状に窪んでおり、その中に回転アンテナ１９が設置され、マグネトロン３１の発振により放射される高周波エネルギーは、導波管２１、回転アンテナ駆動手段２３の出力軸２３ａが貫通する結合穴２２を通して回転アンテナ１９の下面に流入し、該回転アンテナ１９で拡散されて加熱室１７内に放射される。回転アンテナ１９は、回転アンテナ駆動手段２３の出力軸１３ａに連結されている。
【００２３】
加熱室１７の後部には熱風ユニット１１が取り付けられ、熱風ユニット１１内には加熱室１７内の空気を効率良く循環させる熱風ファン１５と熱風ヒータ１４が取り付けられ、加熱室奥壁面には熱風の通り道となる孔が設けられている。
【００２４】
熱風ファン１５は、熱風ユニット１１の外側に取り付けられた熱風モータ１３の駆動により回転し、加熱室奥壁面に設けた孔を通して加熱室１７との間で空気を循環し、熱風ヒータ１４で循環する空気を加熱する。
【００２５】
加熱室１７の天面の裏側には、ヒータよりなるグリル加熱手段１２が取り付けられている。グリル加熱手段１２は、マイカ板にヒータ線を巻き付けて平面状に形成し、加熱室１７の天面裏側に押し付けて固定し、加熱室１７の天面を加熱して加熱室１７内の食品を輻射熱によって焼くものである。
【００２６】
温度検出手段１６は、各ヒータで加熱される加熱室１７の温度を検出するもので、検知手段としてサーミスター等が使用される。
【００２７】
テーブルプレート２０は、食品を載置するためのもので、ヒータ加熱と高周波加熱の両方に使用できるように耐熱性を有し、かつ、高周波の透過性が良く、衛生面でも問題がない磁器等の材料で成形されている。
【００２８】
つぎに、図３のブロック図について説明する。
【００２９】
４１は交流電源で、本体１の制御部や各電気部品を動作させるものである。
【００３０】
６０はレンジ加熱手段で、食品を高周波エネルギーで加熱するマグネトロン３１とマグネトロン駆動用電源３０とで構成し、主制御手段６によって入力手段５より入力された加熱の強さをパワー信号６ａに変換してマグネトロン駆動用電源３０の制御回路５０に送る。
【００３１】
６１はオーブン加熱手段で、前述した熱風ユニット１１と熱風ユニット１１の外側に取り付けられた熱風モータ１３からなり、主制御手段６によって加熱室１７の温度が入力手段５から入力された温度になるように加熱室１７の温度を温度検出手段１６により検出し、熱風ヒータ１４の電力を調整する。
【００３２】
６２は冷却手段で、加熱動作時に自己発熱部品や発熱部品からの熱伝導によって熱的に不具合を発生する部品を冷却するもので、レンジ加熱手段６０が動作している時は、特にマグネトロン３１やマグネトロン駆動用電源３０を冷却するものである。
【００３３】
６は主制御手段で、入力手段５から入力された内容に従い、食品を加熱調理するように各加熱手段を動作させ、温度検出手段１６の検知温度に応じてオーブン加熱手段６１やグリル加熱手段１２のヒータの電力を調整するものである。
【００３４】
次に、マグネトロン３１とマグネトロン駆動用電源３０の動作について、図４のマグネトロン駆動用電源を説明する制御ブロック図と、図５の制御ブロック図の主要部の電圧波形図を用いて説明する。
【００３５】
初めに、マグネトロン駆動用電源３０について説明する。
【００３６】
４１は交流電源で、商用電源から供給される交流の電源である。４２は整流回路で、電源４１から供給された交流の電源を直流化するものである。４３は電源平滑回路で、整流回路４２で整流された電源を平滑するものである。
【００３７】
４６は昇圧トランスで、一時側コイルに印加された電圧を昇圧して二次側コイルに高い電圧を誘起させるものである。
【００３８】
４４はスイッチング素子で、昇圧トランス４６の一次側コイルに流す電流を高周波（２０Ｋ〜４０ＫＨｚ）でＯＮ，ＯＦＦするものである。
【００３９】
４５は共振コンデンサで、該共振コンデンサ４５と昇圧トランス４６の一次側コイルのインダクタンスによって、スイッチング素子４４がＯＮからＯＦＦした後も昇圧トランス４６の一次側コイルに電流が交流的に流れ、昇圧トランス４６の二次側コイルに電圧を誘起して、スイッチング素子４４のＯＮ，ＯＦＦする時間の比率を調整し、二次側に発生する電圧の高さを調節するものである。
【００４０】
４８はインバータ回路で、上記した電源平滑回路４３，スイッチング素子４４，共振コンデンサ４５，昇圧トランス４６によって構成されている。
【００４１】
４７は高圧回路で、昇圧トランス４６の二次側コイルに誘起した高周波電圧を倍電圧整流するものである。
【００４２】
３１はマグネトロンで、カソード（ヒータと兼用）３１ａとアノード３１ｂからなり、ヒータ３１ａに電流を流して発熱させ、該ヒータが温まり、カソード３１ａとアノード３１ｂ間の電圧が発振電圧以上（約４ｋＶ）に達するとマグネトロン３１は発振を開始し、高周波エネルギーを放射して加熱室１７の食品を加熱するものである。
【００４３】
６ａはパワー信号で、主制御手段６によって操作部５ｂで入力された食品を加熱する強さをマグネトロン駆動用電源３０内の制御回路５０に伝え、マグネトロン３１の高周波出力を設定するための信号である。
【００４４】
５１は電源同期タイミング検出回路で、交流電源４１の電圧（図５（ａ）商用電源の１／２周期を表示）が周期的に変化し、電圧がゼロボルトになるタイミングを検出するためのものである。本実施例では、図５の（ｂ）に示すように、交流電源４１の電圧が一定の範囲内の時にパルスとなって出力するように設定され、その出力されたパルスの中点がゼロと認識するように後述する制御手段５３は設定されている。
【００４５】
５２は入力電流検出回路で、マグネトロン３１を動作している時に電源平滑回路４３に流れる電流を検出するものである。電流の測定は、抵抗５２ａの両端間に発生する電圧を測定し、抵抗５２ａの抵抗値から算出する。抵抗５２ａは、抵抗自身で余分な電力を消費しないように、小さな抵抗値の抵抗器を使用しており、これによって抵抗５２ａの両端に発生する電圧も微小な値となり、その電圧を増幅回路で増幅して制御手段５３に出力している。
【００４６】
そして、マグネトロン３１が発振している時の高周波出力と前記電圧との相関関係を事前に確認しておくことで、制御手段５３は入力電流検出回路５２の抵抗５２ａの両端に発生する電圧より、マグネトロン３１の発振している出力が主制御手段６からの要求に合致しているかどうかを認識できるようになっている。
【００４７】
さらに、入力電流検出回路５２からの検出値を複数回検出し、その値を平均化することでノイズなどの影響を少なくしている。
【００４８】
５３は制御手段で、計時手段５３ａと記憶手段５３ｂとを備え、計時手段５３ａは、電源同期タイミング検出回路５１から送られてくるパルス信号のパルス幅を計時してパルス幅の中間を算出し、パルスとパルスの間隔の時間を測定して、接続されている電源４１の周波数を判定する。
【００４９】
記憶手段５３ｂには、交流電源４１の半サイクルの期間をマグネトロン３１が最大の高周波出力で発振し、また、この発振時に最大限に力率と電源効率が良くなるようにスイッチング素子をＯＦＦ，ＯＮさせるためのＯＦＦ時間とＯＮ時間のデータからなる駆動データを記憶している。該駆動データは、前述したように交流電源４１の半サイクルの期間を基準にデータを作るので、接続する交流電源４１の周波数によって異なり、そのために交流電源４１の周波数の種類に応じてデータを変更し記憶する。
【００５０】
記憶するデータは、交流電源４１の半サイクル分の複数個のパルスのＯＦＦ時間とＯＮ時間のデータで、その周波数は約１６ＫＨｚとなる。
【００５１】
制御手段５３は、判定した周波数に対応した駆動データを記憶手段５３ｂより呼び出し、ＯＦＦ時間とＯＮ時間の駆動データから約１６ＫＨｚのパルス状のデータ信号〔図５（ｃ）〕を作成して平滑回路５４へと出力する。
【００５２】
前記データ信号（ｃ）は、記憶手段５３ｂより呼び出したＯＦＦ時間とＯＮ時間の駆動データに基づいて、電源同期タイミング検出回路５１より入力されたパルスの中点（交流電源のゼロボルト点）より計時手段５３ａで計時を開始し、駆動データの最初のＯＦＦ時間が経過した後にＯＮ信号であるパルスを出力し、ＯＮ時間の計時を開始し、ＯＮ時間が経過したらパルスをＯＦＦする。同様に二番目，三番目，・・・のＯＦＦ時間とＯＮ時間の駆動データに基づいてパルスを出力する動作を繰り返す。駆動データの全データのパルスを出力し終わったら、次の電源同期タイミング検出回路５１からの入力を待ち、入力されたら前記動作を繰り返す。
【００５３】
また、主制御手段６から送られてくるパワー信号６ａに対応した高周波出力がマグネトロン３１から発振するように、マグネトロン３１の発振する高周波出力と入力電流検出回路５２からの検出値の関係を事前にデータ化し、パワー信号６ａと入力電流検出回路５２からの検出値からデータ信号（ｃ）のパルスのＯＮ，ＯＦＦする時間の比率を次のように変更する。
【００５４】
変更は、マグネトロン３１が発振する高周波出力に対応した電流が流れるように、入力電流検出回路５２の検出した電流値が小さい場合は、マグネトロン３１に印加する電圧を高くするようにデータ信号（ｃ）のＯＮ時間の比率を大きくしてマグネトロン３１が発振する高周波出力を大きくするように動作する。また、検出した電流が大きい場合は、マグネトロン３１に印加する電圧を小さくするようにデータ信号のＯＮ時間の比率を小さくしてマグネトロン３１が発振する高周波出力を小さくするように動作するものである。
【００５５】
具体的には、力率と電源効率を最大限良くした状態を維持するために、電源同期タイミング検出回路５１からの入力により交流電源４１のゼロボルトを検出し、交流電源４１の電圧が低い正弦波の裾野にあたる図５（ａ）のＡ部では、マグネトロン３１の力率を改善するためにスイッチング素子４４のＯＮ時間を長くして昇圧トランス４６の二次側コイルの誘導電圧を早く上昇させ、マグネトロン３１のヒータ３１ａの温度を早く上昇させ、マグネトロン３１の発信時間を早くする。
【００５６】
また、電圧が低い正弦波の裾野にあたる図５（ａ）のＡ部から急激に電圧が上昇〔図５（ａ）のＢ部〕した後、電圧変動がなだらかになる頂点部分の図５（ａ）のＣ部では、必要とする高周波出力を発生する印加電圧以上に不必要な高電圧がマグネトロン３１に加わらないように、頂点部分のＣ部の手前（電圧が急激に上昇しているＢ部の後半）からスイッチング素子４４のＯＮ時間比率を短くし始め、マグネトロン３１に印加される電圧の上昇率を押え、発生電圧がマグネトロンの発振電圧（約４ｋＶ）を越した後に不要な電流が流れるのを防止する。
【００５７】
これによって、マグネトロン３１を発振させた時に最大限に力率と効率を向上できる電源〔図５（ｈ）〕を生成する。
【００５８】
高周波出力の変更は、駆動データの特に図５（ａ）のＢ部，Ｃ部のＯＮ時間の比率を変更することで、マグネトロン３１に印加される電源の力率と電源効率は低下することはない。
【００５９】
但し、マグネトロン３１の駆動時初期は、マグネトロン３１を急速に暖めるように駆動データを変更することなく使用し、マグネトロン３１のヒータが温まり、入力電流検出回路５２で、３Ａ以上の電流を検出した後に前述した制御に移行する。
【００６０】
５４は平滑回路で、制御手段５３から出力されたデータ信号（ｃ）を平滑した信号〔図５（ｄ），信号ｇ〕に変換するもので、データ信号（ｃ）のパルスのＯＮ時間の比率がＯＦＦ時間より短いほど平滑後の電圧値は低い値を示し、ＯＮ時間の比率がＯＦＦ時間より長いほど平滑後の電圧値は高い値を示す。
【００６１】
平滑回路５４は、データ信号（ｃ）の変化に対応して平滑した電圧値が変化できるように時定数を１msec以下になるように回路乗数を決定している。
【００６２】
５５はＯＮタイミング検出回路で、スイッチング素子４４がＯＮからＯＦＦした後にスイッチング素子４４に印加されている電圧がゼロになるのを検知し、次にスイッチング素子４４がＯＮすることが可能なタイミングで三角信号波形を出力〔図５（ｄ）、信号ｆ〕するものである。
【００６３】
この出力する三角信号波形は、スイッチング素子４４を２０ＫＨｚ〜４０ＫＨｚの周波数でＯＮ，ＯＦＦさせるための変換と、制御手段５３から出力されるデータ信号（ｃ）を平滑した後の電圧の高低に応じてスイッチング素子４４のＯＮ時間とＯＦＦ時間の比率を変更できる信号となっている。
【００６４】
５６は基準発振回路で、該基準発振回路５６は、制御手段５３で出力したデータ信号（ｃ）を平滑回路５４によって変換された信号〔図５（ｄ），信号ｇ〕とＯＮタイミング検出回路５５から出力された三角信号波形〔図５（ｄ），信号ｆ〕を比較（図５（ｄ））して、スイッチング素子４４のＯＮ時間とＯＦＦ時間〔図５（ｅ）〕を決定する。
【００６５】
スイッチング素子４４のＯＮ時間とＯＦＦ時間は、平滑回路５４によって平滑した信号の電圧値が高いとスイッチング素子４４のＯＮ時間の比率が小さくなり、マグネトロン３１に印加される電圧は低くなり、平滑した信号の電圧値が低いとスイッチング素子４４のＯＮ時間の比率が大きくなりマグネトロン３１に印加される電圧は高くなる。
【００６６】
５７は駆動回路で、基準発振回路５６からの信号でスイッチング素子４４を駆動できる信号に変換するものである。
【００６７】
本実施例は、以上の構成からなり、次に動作について説明する。
【００６８】
被調理物を温めるのに、その被調理物（図示せず）を加熱室１７のテーブルプレート２０に載置しドア２を閉める。
【００６９】
ドア２を閉めた後、ドア２に設けられた操作パネル３の表示部５ａを見ながら操作部５ｂで高周波加熱を選択して、加熱強さを示す高周波出力と加熱時間を設定する。もしくは、自動加熱の温めを選択する。
【００７０】
そして、操作部５ｂの加熱開始用スタートボタン（図示せず）を押して加熱を開始する。
【００７１】
以下の説明は、高周波出力を７００Ｗ、加熱時間を１分と入力された場合について説明する。
【００７２】
主制御手段６は、加熱を開始するために、入力された高周波出力が７００Ｗであることを、パワー信号６ａをインバータ基板内の制御手段５３に送って知らせる。
【００７３】
同時に主制御手段６は、回転アンテナ駆動手段２３に信号を送り、回転アンテナ１９を回転させ、冷却手段６２へも信号を送り冷却風の送風を開始する。
【００７４】
制御手段５３は、電源同期タイミング検出回路５１より入力されるパルスとパルスの間隔から電源の周波数を検出し、記憶手段５３ｂに記憶してある駆動データのうち、電源の周波数に対応した方の駆動データを呼び出して、電源同期タイミング検出回路５１より入力されるパルスを基準にデータ信号（ｃ）を生成し出力する。
【００７５】
加熱開始直後は、マグネトロン３１のヒータ３１ａは温まっていないので発振もなく電流もさほど流れないが、加熱開始時は、記憶手段５３ｂに記憶してある駆動データでデータ信号（ｃ）を作成して出力するのでマグネトロン３１には最大出力となる高い電圧が印加され、早期にヒータ３１ａの温度が上昇し始め（電圧の印加した約１秒後）次第に電流が流れ始める。
【００７６】
ヒータ３１ａが温まり、印加電圧がマグネトロンの発振電圧以上の領域では急激に電流が流れるので、その急激な電流の流れを防止するために、ヒータ３１ａがまだ完全に温まる前に、マグネトロン３１に印加する電圧の上昇率を低下する方向に駆動データのＯＮ時間，ＯＦＦ時間のＯＮ時間の比率を下げる〔特に図５（ａ）のＢ，Ｃ部〕。
【００７７】
その後、必要とする高周波出力７００Ｗに見合った電流値が得られるように、駆動データのＯＮ時間の比率を変更する。ただし、目標の電流値に対して、差が大きいときは変更幅を多く、差が小さくなると変更幅も小さくしている。さらに、目標値に対して電流を増加させるときと減少させるときでは、減少させるときのマグネトロン３１の発振する高周波出力の変化が鈍いので減少させるときは変更幅を大きくした方が良い。
【００７８】
被調理物の加熱は前記動作を繰り返すことで安定して加熱が行われ、加熱時間の１分が経過すると、主制御手段６より制御手段５３と各負荷に停止命令がでて、加熱を終了する合図と共に加熱を終了する。
【００７９】
以上説明したように、本実施例によれば、交流電源４１のゼロボルトを検出する電源同期タイミング検出回路５１を設け、電源同期タイミング検出回路５１の検出した交流電源４１のゼロボルトから電圧が低い正弦波の裾野にあたる図５（ａ）のＡ部では、マグネトロン３１の通電率を高めるために、スイッチング素子４４のＯＮ時間を長くして昇圧トランス４６の二次側コイルの誘導電圧を早く上昇させ、マグネトロン３１のヒータ３１ａの温度を早く上昇させ、マグネトロン３１の発信開始を早くすることで力率の向上が図れ、また、電源同期タイミング検出回路５１の検出した交流電源４１のゼロボルトから電圧が低い正弦波の裾野にあたる図５（ａ）のＡ部から急激に電圧が上昇〔図５（ａ）のＢ部〕した後、電圧変動がなだらかになる頂点部分の図５（ａ）のＣ部では、必要とする高周波出力を発生する印加電圧以上に不必要な高電圧がマグネトロン３１に加わらないように、頂点部分のＣ部の手前（電圧が急激に上昇しているＢ部の後半）からスイッチング素子４４のＯＮ時間比率を短くし始めマグネトロン３１に印加される電圧の上昇率を押えるものであり、これによって、発生電圧がマグネトロンの発振電圧（約４ｋＶ）を越した後の不要な電流の流れるのを防止し、電源効率の向上が図れるものである。
【図面の簡単な説明】
【００８０】
【図１】本発明のマグネトロン駆動用の制御回路を搭載した高周期加熱装置の外観斜視図である。
【図２】図１のＡ−Ａ断面図である。
【図３】高周波加熱装置の制御を説明するブロック図。
【図４】本実施例のマグネトロン駆動用電源を説明する制御ブロック図。
【図５】制御ブロック図の主要部の電圧波形図。
【図６】従来技術のマグネトロン駆動用電源を示したブロック図。
【符号の説明】
【００８１】
３０  マグネトロン駆動用電源
３１  マグネトロン
４４  スイッチング素子
５０  制御回路
５１  電源同期タイミング検出回路
５３  制御手段
５３ｂ  記憶手段
【図１】
2010123356.tif 000003
【図２】
2010123356.tif 000004
【図３】
2010123356.tif 000005
【図４】
2010123356.tif 000006
【図５】
2010123356.tif 000007
【図６】
2010123356.tif 000008